(57)【要約】【課題】鍋敷き同士を連結可能とすることで、拡張性の高い鍋敷きを提供する。【解決手段】本実施例における鍋敷き１は、耐熱性の可撓性材料からなり、第１の係合凸部３及び第２の係合凸部７と、第１の係合凸部３及び第２の係合凸部７と係合可能な第１の係合凹部５及び第２の係合凹部９と、第１の係合凸部３及び第２の係合凸部７に設けた第１の凸条部１０及び第２の凸条部１１と、第１の係合凹部５及び第２の係合凹部９に設け、第１の凸条部１０及び第２の凸条部１１と係合可能な第１の凹溝部１２及び第２の凹溝部１３とを備えている。【選択図】図１
0003219721.tif 000002
【実用新案登録請求の範囲】
【請求項１】
耐熱性の可撓性材料からなり、
係合凸部と、
前記係合凸部と係合可能な係合凹部と、
前記係合凸部及び前記係合凹部の一方に設けた凸条部と、
前記係合凹部及び前記係合凹部の他方に設け、前記凸条部と係合可能な凹溝部と
を備えたことを特徴とする鍋敷き。
【請求項２】
耐熱性の可撓性材料からなり、
矩形状に形成され、
第１の側面部に形成された第１の係合凸部と、
前記第１の側面部と対向する第２の側面部に形成され、前記第１の係合凸部と係合可能な第１の係合凹部と、
前記第１の側面部と隣接する第３の側面部に形成された第２の係合凸部と、
前記第１の側面部と隣接し、前記第３の側面部と対向する第４の側面部に形成され、前記第２の係合凸部と係合可能な第２の係合凹部と、
前記第１の係合凸部を含む前記第１の側面部に形成された第１の凸条部と、
前記第１の係合凹部を含む前記第２の側面部に形成され、前記第１の凸条部と係合可能な第１の凹溝部と、
前記第２の係合凸部を含む前記第３の側面部に形成された第２の凸条部と、
前記第２の係合凹部を含む前記第４の側面部に形成され、前記第２の凸条部と係合可能な第２の凹溝部と、
を備えたことを特徴とする鍋敷き。
【請求項３】
前記第１の凸条部および前記第２の凸条部は断面円弧状に突設され、
前記第１の凹溝部および前記第２の凹溝部は断面円弧状に凹設されたことを特徴とする請求項２記載の鍋敷き。
【請求項４】
前記鍋敷きの底面に複数の滑り止め用の線状リブを備え、
前記滑り止め用の線状リブは、
前記第１の側面部と前記第３の側面部によって挟まれた角と、
前記第２の側面部と前記第４の側面部によって挟まれた角に対する対角線と略平行に形成され、
前記滑り止め用の線状リブは、少なくとも前記第１の係合凹部と前記第２の係合凹部に間に配置されたことを特徴とする請求項２又は３に記載に鍋敷き。
【考案の詳細な説明】
【技術分野】
【０００１】
本考案は、熱した鍋等の調理機器をテーブルなどの上に置くときにテーブルを保護するための鍋敷きに関するものである。
【背景技術】
【０００２】
従来の鍋敷きとしては、シリコン樹脂製のフレキシブルで弾力性を持つプレートがあった（特許文献１）。この鍋敷きは耐熱温度が２３０℃とするシリコン樹脂製であるので、加熱状態にある鍋等の調理機器が載置されてもテーブルが保護されるものである。
【先行技術文献】
【特許文献】
【０００３】
【特許文献１】実用新案登録第３１５４８１５号公報
【考案の開示】
【考案が解決しようとする課題】
【０００４】
しかし、従来の鍋敷きでは、調理機器の底面の面積によっては、複数の鍋敷きをテーブルに並べて、その上に調理機器を載置する必要があった。その場合、複数の鍋敷きを隙間なく並べる手間や、調理機器の移動の際には、複数の鍋敷きをそれぞれ別個に移動させる手間があり、作業性に問題があった。
【０００５】
そこで、本考案は、鍋敷き同士を連結可能とすることで、拡張性の高い鍋敷きを提供することを目的とする。
【課題を解決するための手段】
【０００６】
請求項１記載の本考案の鍋敷きは、耐熱性の可撓性材料からなり、係合凸部と、前記係合凸部と係合可能な係合凹部と、前記係合凸部及び前記係合凹部の一方に設けた凸条部と、前記係合凹部及び前記係合凹部の他方に設け、前記凸条部と係合可能な凹溝部とを備えたことを特徴とする。
【０００７】
請求項２記載の本考案の鍋敷きは、耐熱性の可撓性材料からなり、矩形状に形成され、第１の側面部に形成された第１の係合凸部と、前記第１の側面部と対向する第２の側面部に形成され、前記第１の係合凸部と係合可能な第１の係合凹部と、前記第１の側面部と隣接する第３の側面部に形成された第２の係合凸部と、前記第１の側面部と隣接し、前記第３の側面部と対向する第４の側面部に形成され、前記第２の係合凸部と係合可能な第２の係合凹部と、前記第１の係合凸部を含む前記第１の側面部に形成された第１の凸条部と、前記第１の係合凹部を含む前記第２の側面部に形成され、前記第１の凸条部と係合可能な第１の凹溝部と、前記第２の係合凸部を含む前記第３の側面部に形成された第２の凸条部と、前記第２の係合凹部を含む前記第４の側面部に形成され、前記第２の凸条部と係合可能な第２の凹溝部と、を備えたことを特徴とする。
【０００８】
請求項３記載の本考案の鍋敷きは、前記第１の凸条部および前記第２の凸条部は断面円弧状に突設され、前記第１の凹溝部および前記第２の凹溝部は断面円弧状に凹設されたことを特徴とする。
【０００９】
請求項４記載の本考案の鍋敷きは、前記鍋敷きの底面に複数の滑り止め用の線状リブを備え、前記滑り止め用の線状リブは、前記第１の側面部と前記第３の側面部によって挟まれた角と、前記第２の側面部と前記第４の側面部によって挟まれた角に対する対角線と略平行に形成され、前記滑り止め用の線状リブは、少なくとも前記第１の係合凹部と前記第２の係合凹部に間に配置されたことを特徴とする。
【考案の効果】
【００１０】
請求項１の考案によれば、加熱された鍋等の調理機器をテーブルに載置する際に、調理機器の下に敷く鍋敷きとして単独で使用することができるだけでなく、同一の鍋敷きを複数用意して、隣接する鍋敷き同士が互いの係合凸部と係合凹部とを係合させることで、隣接する鍋敷き同士をジグソーパズルのように嵌め合わせて一枚の平板状態として使用することができる。そして、係合凸部と係合凹部が係合した状態では、凸条部と凹溝部が係合しており、隣接する鍋敷きは隙間なく強固に連結される。
【００１１】
請求項２の考案によれば、加熱された鍋等の調理機器をテーブルに載置する際に、調理機器の下に敷く鍋敷きとして単独で使用することができるだけでなく、同一の鍋敷きを複数用意して、隣接する鍋敷き同士が互いの第１の係合凸部と第１の係合凹部、又は第２の係合凸部と第２の係合凹部とを係合させることで、隣接する鍋敷き同士をジグソーパズルのように嵌め合わせて一枚の平板状態として使用することができる。そして、第１の係合凸部と第１の係合凹部が係合した状態では、第１の凸条部と第１の凹溝部が係合しており、隣接する鍋敷きの第１の側面部と第２の側面部は隙間なく強固に連結される。同様に、第２の係合凸部と第２の係合凹部が係合した状態では、第２の凸条部と第２の凹溝部が係合しており、隣接する鍋敷きの第３の側面部と第４の側面部は隙間なく強固に連結される。
【００１２】
請求項３の考案によれば、各凸条部が断面円弧状に形成されたことで、各凹溝部の段差を乗り越えやすい形状となり、各係合凸部と各係合凹部との連結作業が容易となる。
【００１３】
請求項４の考案によれば、鍋敷きがテーブル等の設置面でずれるのを防ぐとともに、線状リブによる底面の摩擦抵抗を活かして、底面側で螺子蓋式容器の蓋を掴むことで蓋開閉作業の補助に使用することができる。また、線状リブは、第１の係合凹部と第２の係合凹部によって第２の側面部と第４の側面部が抉られた状態となる第２の側面部と第４の側面部によって挟まれた角付近の強度不足を補う補強部材として機能する。
【図面の簡単な説明】
【００１４】
【図１】本考案の実施例１に係る鍋敷きにおける天面側の斜視図である。
【図２】同上、鍋敷きの底面側の斜視図である。
【図３】同上、鍋敷きの天面図である。
【図４】同上、複数の鍋敷きを連結した状態を示す斜視図である。
【図５】同上、複数の鍋敷きを連結した状態の連結部分における断面図である。
【考案を実施するための最良の形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
以下、本考案の第１実施例を図１〜図５を参照して説明する。図中、符号１で示す本実施例の鍋敷きは、全体を方形状（本実施例では正方形）に形成された耐熱性の可撓性材料であるシリコンゴムの板材からなる。鍋敷き１の一つの側面部（以下、第１の側面部２という）には、第１の係合凸部３が形成されている。第１の側面部２と対向する側面部（以下、第２の側面部４という）には、第１の係合凸部３と係合可能な第１の係合凹部５が形成されている。第１の側面部２と隣接する一方の側面部（以下、第３の側面部６という）には、第２の係合凸部７が形成されている。第１の側面部２と隣接して前記第３の側面部６と対向する他方の側面部（以下、第４の側面部８という）には、第２の係合凸部７と係合可能な第２の係合凹部９が形成されている。
【００１７】
図１及び図２に示すように、第１の係合凸部３は、鍋敷き１の厚み方向Ｔに略円柱形状に形成され、第１の側面部２から外側に向けて突出するように形成されている。第２の係合凸部７は、鍋敷き１の厚み方向Ｔに略円柱形状に形成され、第３の側面部６から外側に向けて突出するように形成されている。
【００１８】
図１及び図２に示すように、第１の係合凹部５は、第２の側面部４を鍋敷き１の厚み方向Ｔに略円形状に貫通するように湾状に切り欠いて形成されている。第２の係合凹部９は、第４の側面部８を鍋敷き１の厚み方向Ｔに略円形状に貫通するように湾状に切り欠いて形成されている。
【００１９】
尚、図３に示すように、第１の係合凸部３と第１の係合凹部５の円弧形状の半径Ｒ１は、第２の係合凸部７と第２の係合凹部９の円弧形状の半径Ｒ２とは異なる大きさに形成されており、本実施例では、Ｒ１＞Ｒ２としている。このように、第１の係合凸部３と第２の係合凹部９、第２の係合凸部７と第１の係合凹部５はそれぞれ係合しないように形成されている。
【００２０】
図１及び図２に示すように、第１の側面部２における第１の係合凸部３を含む上下方向の中段部分には、連続して断面円弧状に突設された第１の凸条部１０が形成されている。第３の側面部６における第２の係合凸部７を含む上下方向の中段部分には、連続して断面円弧状に突設された第２の凸条部１１が形成されている。第２の側面部４における第１の係合凹部５を含む上下方向の中段部分には、連続して断面円弧状に凹設され、第１の凸条部１０が係合可能な第１の凹溝部１２が形成されている。第４の側面部８における第２の係合凹部９を含む上下方向の中段部分には、連続して断面円弧状に凹設され、第２の凸条部１１が係合可能な第２の凹溝部１３が形成されている。
【００２１】
図１及び図２に示すように、鍋敷き１の天面１４は平坦面として形成され、鍋敷き１の底面１５には複数の滑り止め用の線状リブ１６が並設されている。滑り止め用の線状リブ１６は、第１の側面部２と第３の側面部６が挟む角Ａ１と、第２の側面部４と第４の側面部８の挟む角Ａ２とを結ぶ対角線Ｘと平行となるように形成されている。尚、滑り止め用の線状リブ１６は、少なくとも第１の係合凹部５と第２の係合凹部９に間に配置されている。これによって、第１の係合凹部５と第２の係合凹部９に間に配置された滑り止め用の線状リブ１６は、第１の係合凹部５と第２の係合凹部９によって第２の側面部４と第４の側面部８が抉られた状態となる角Ａ２付近の強度不足を補う補強部材として機能している。
【００２２】
また、図２に示すように、鍋敷き１の底面１５には、第１の係合凸部３、第２の係合凸部７、第１の係合凹部５および第２の係合凹部９を含む鍋敷き１の外周に沿って連続して突設され、線状リブ１６を囲むように設けられた滑り止め用の環状リブ１７が形成されている。
【００２３】
本実施例の鍋敷き１は、加熱された鍋等の調理機器をテーブルに載置する際に、調理機器の下に敷く鍋敷き１として単独で使用することができるだけでなく、図４に示すように同一の鍋敷き１を複数用意して、隣接する鍋敷き１、１同士（ここで、一方の鍋敷き１を鍋敷き１Ａ、他方の鍋敷き１を鍋敷き１Ｂとする）が互いの第１の係合凸部３と第１の係合凹部５、又は第２の係合凸部７と第２の係合凹部９とを係合させることで、隣接する鍋敷き１Ａ、１Ｂ同士をジグソーパズルのように嵌め合わせて一枚の平板状態とすることができる。
【００２４】
ここで、図５に示すように隣接する鍋敷き１Ａ、１Ｂにおいて、第１の係合凸部３と第１の係合凹部５が係合した状態では、第１の凸条部１０と第１の凹溝部１２が係合しており、隣接する鍋敷き１Ａ、１Ｂの第１の側面部２と第２の側面部４は隙間なく強固に連結される。同様に、第２の係合凸部７と第２の係合凹部９が係合した状態では、第２の凸条部１１と第２の凹溝部１３が係合しており、隣接する鍋敷き１Ａ、１Ｂの第３の側面部６と第４の側面部８は隙間なく強固に連結される（図示せず）。
【００２５】
以上のように、本実施例における鍋敷き１は、耐熱性の可撓性材料からなり、係合凸部としての第１の係合凸部３又は第２の係合凸部７と、第１の係合凸部３又は第２の係合凸部７と係合可能な係合凹部としての第１の係合凹部５又は第２の係合凹部９と、前記係合凸部及び前記係合凹部の一方に設けた凸条部としての第１の凸条部１０又は第２の凸条部１１と、前記係合凹部及び前記係合凹部の他方に設け、第１の凸条部１０又は第２の凸条部１１と係合可能な凹溝部としての第１の凹溝部１２又は第２の凹溝部１３とを備えている。
【００２６】
この場合、加熱された鍋等の調理機器をテーブルに載置する際に、調理機器の下に敷く鍋敷き１として単独で使用することができるだけでなく、同一の鍋敷き１を複数用意して、隣接する鍋敷き１Ａ、１Ｂ同士が互いの第１の係合凸部３又は第２の係合凸部７と、第１の係合凹部５又は第２の係合凹部９とを係合させることで、隣接する鍋敷き１Ａ、１Ｂ同士をジグソーパズルのように嵌め合わせて一枚の平板状態として使用することができる。そして、第１の係合凸部３又は第２の係合凸部７と、第１の係合凹部５又は第２の係合凹部９が係合した状態では、第１の凸条部１０又は第２の凸条部１１と、第１の凹溝部１２又は第２の凹溝部１３が係合しており、隣接する鍋敷き１Ａ、１Ｂは隙間なく強固に連結される。
【００２７】
また、本実施例の鍋敷き１は、耐熱性の可撓性材料からなり、矩形状に形成され、第１の側面部２に形成された第１の係合凸部３と、第１の側面部２と対向する第２の側面部４に形成され、第１の係合凸部３と係合可能な第１の係合凹部５と、第１の側面部２と隣接する第３の側面部６に形成された第２の係合凸部７と、第１の側面部２と隣接し、第３の側面部６と対向する第４の側面部８に形成され、第２の係合凸部７と係合可能な第２の係合凹部９と、第１の係合凸部３を含む第１の側面部２に形成された第１の凸条部１０と、第１の係合凹部５を含む第２の側面部４に形成され、第１の凸条部１０と係合可能な第１の凹溝部１２と、第２の係合凸部７を含む第３の側面部６に形成された第２の凸条部１１と、第２の係合凹部９を含む第４の側面部８に形成され、第２の凸条部１１と係合可能な第２の凹溝部１３と、を備えている。
【００２８】
この場合、加熱された鍋等の調理機器をテーブルに載置する際に、調理機器の下に敷く鍋敷きとして単独で使用することができるだけでなく、同一の鍋敷き１を複数用意して、隣接する鍋敷き１Ａ、１Ｂ同士が互いの第１の係合凸部３と第１の係合凹部５、又は第２の係合凸部７と第２の係合凹部９とを係合させることで、隣接する鍋敷き１Ａ、１Ｂ同士をジグソーパズルのように嵌め合わせて一枚の平板状態として使用することができる。そして、第１の係合凸部３と第１の係合凹部５が係合した状態では、第１の凸条部１０と第１の凹溝部１２が係合しており、隣接する鍋敷き１Ａ、１Ｂの第１の側面部２と第２の側面部４は隙間なく強固に連結される。同様に、第２の係合凸部７と第２の係合凹部９が係合した状態では、第２の凸条部１１と第２の凹溝部１３が係合しており、隣接する鍋敷き１Ａ、１Ｂの第３の側面部６と第４の側面部８は隙間なく強固に連結される。
【００２９】
また、本実施例の鍋敷き１では、第１の凸条部１０および第２の凸条部１１は断面円弧状に突設され、第１の凹溝部１２および第２の凹溝部１３は断面円弧状に凹設されている。
【００３０】
この場合、各凸条部１０、１１が断面円弧状に形成されたことで、各凹溝部１２、１３の段差を乗り越えやすい形状となり、各係合凸部３、７と各係合凹部５、９との連結作業が容易となる。
【００３１】
また、本実施例の鍋敷き１では、鍋敷き１の底面１５に複数の滑り止め用の線状リブ１６を備え、滑り止め用の線状リブ１６は、第１の側面部２と第３の側面部６によって挟まれた角Ａ１と、第２の側面部４と第４の側面部８によって挟まれた角Ａ２に対する対角線Ｘと略平行に形成され、滑り止め用の線状リブ１６は、少なくとも第１の係合凹部５と第２の係合凹部９に間に配置されている。
【００３２】
この場合、鍋敷き１がテーブル等の設置面でずれるのを防ぐとともに、線状リブ１６による底面１５の摩擦抵抗を活かして、底面１５側で螺子蓋式容器の蓋を掴むことで蓋開閉作業の補助に使用することができる。また、線状リブ１６は、第１の係合凹部５と第２の係合凹部９によって第２の側面部４と第４の側面部８が抉られた状態となる第２の側面部４と第４の側面部８によって挟まれた角Ａ２付近の強度不足を補う補強部材として機能する。
【００３３】
本考案は上記実施例に限定されるものではなく、例えば、本考案の鍋敷き１は、本来の鍋敷きとしての用途以外にも、コースター、滑り止め用パッド、衝撃吸収用クッション、鍋掴みや、線状リブや環状リブによる底面の摩擦抵抗を活かして、底面側で螺子蓋式容器の蓋を掴むことで蓋開閉作業の補助等の各種用途にも使用可能である。
【００３４】
また、鍋敷き１は矩形状以外に、三角形やその他の多角形や様々な形状としてもよく、第１の係合凸部３、第２の係合凸部７、第１の係合凹部５、第２の係合凹部９の形状も適宜変更可能である。また、凸条部を各係合凹部に設け、凹溝部を各係合凸部に設けてもよいものとする。また、線状リブ１６の向きも適宜変更可能である。
【符号の説明】
【００３５】
１  鍋敷き
２  第１の側面部
３  第１の係合凸部
４  第２の側面部
５  第１の係合凹部
６  第３の側面部
７  第２の係合凸部
８  第４の側面部
９  第２の係合凹部
１０  第１の凸条部
１１  第２の凸条部
１２  第１の凹溝部
１３  第２の凹溝部
１５  底面
１６  線状リブ
Ａ１  角
Ａ２  角
Ｘ  対角線
【図１】
0003219721.tif 000003
【図２】
0003219721.tif 000004
【図３】
0003219721.tif 000005
【図４】
0003219721.tif 000006
【図５】
0003219721.tif 000007